(57)【要約】【課題】  遠隔制御と放送受信が行える携帯端末で、外部の放送受信機器との間で、放送視聴を切り替えるとき、手間をかけないで、同じ放送を継続して視聴できる携帯端末を提供することを目的とする。【解決手段】  携帯端末１００で、放送受信部１７０により放送を受信しているとき、最新の選局情報を情報記憶部１３０に記憶する。外部の放送受信機器である外部機器２００で同じ放送を見たいとき、操作部１５０を通じてユーザにより外部機器２００の起動（電源オン）指示があると、起動指示と制御部１９０は最新選局情報による選局の指示とを遠隔送受信部１８０を通じて外部機器２００に送信する。【選択図】  図１
2005203893.tif 000002
【特許請求の範囲】
【請求項１】
放送を受信する機能と、外部の放送受信機器の遠隔操作を行なう機能とを有する携帯端末であって、
放送を受信して再生する放送受信再生手段と、
最新の選局情報を記憶している記憶手段と、
前記放送受信再生手段で放送を受信しているとき、選局する放送選局手段と、
前記記憶手段に記憶された最新の選局情報を、選局する毎に更新する更新手段と
外部の放送受信機器の起動を指示する起動指示手段と、
起動を指示する場合、前記放送受信再生手段により放送を受信しているとき、最新の選局情報を併せて送信する選局指示手段とを備えることを特徴とする携帯端末。
【請求項２】
前記選局指示手段にて指示された前記放送受信機器から前記放送受信機器の選局情報である外部機器選局情報を受信する受信手段と、
受信された外部機器選局情報と最新の選局情報とが一致するか否か判定し、一致すると判定されたとき、前記放送受信再生手段に放送の受信を終了させる制御手段と
を更に備えることを特徴とする請求項１記載の携帯端末。
【請求項３】
前記起動指示手段にて起動を指示する場合、前記放送受信再生手段にて放送を受信していないとき、前記放送受信機器での選局を指定する指定選局情報を受け付ける選局受付手段を更に備え、
前記選局指示手段は、更に、受け付けた指定選局情報を送信し、
前記更新手段は、更に、前記記憶手段に記憶された最新の選局情報を前記指定選局情報に更新し、
前記選局指示手段にて指示された前記放送受信機器から前記放送受信機器の選局情報である外部機器選局情報を受信する受信手段と、
前記外部機器選局情報と最新の選局情報とが一致するか否か判定し、一致しないと判定したとき、一致すると判定するまで前記選局指示手段に対して前記指定選局情報を再送させる制御手段とを更に備えることを特徴とする請求項１記載の携帯端末。
【請求項４】
前記指定選局指示手段により指定選局情報を送信後、前記放送受信再生手段にて放送を受信するとき、前記放送選局手段は、更に、前記記憶手段に記憶された最新の選局情報に基づく選局を行うことを特徴とする請求項３記載の携帯端末。
【発明の詳細な説明】
【技術分野】
【０００１】
本発明は、携帯端末に関し、特に放送受信機能と外部放送受信機器に対する遠隔操作機能とを併せ持った端末に関する。
【背景技術】
【０００２】
携帯端末として例えば携帯電話はその急速な普及で今や生活必需品となり、益々機能が高度化、多様化して携帯端末の代表的地位を獲得している。この多様な機能には、例えば、中波、短波、極超短波のラジオ放送だけでなく、放送アナログからディジタルへ移行しようとしているテレビ放送も含む各種の放送を受信する機能がある。またそれ自体が放送を受信することができるだけでなく、外部のテレビおよびラジオ等の放送受信機器等をリモコン操作する技術が開示されている（特許文献１）。
【０００３】
このような機能は、携帯電話に限らず携帯端末が有しているものであり、その所有者は外出先でも放送を見たいときあるいは聞きたいとき、携帯端末をラジオやテレビのモードにして楽しむことができ、また帰宅すればリモコン機能を使って、専用の放送受信機器を立ち上げ、大画面、大音量でその続きを楽しむことができる。
【特許文献１】特開２００３−７８９７７号公報
【発明の開示】
【発明が解決しようとする課題】
【０００４】
しかし、例えばある放送チャネルを携帯端末で視聴していて、その途中で専用の受信機器で視聴したいとき、携帯端末を使ってその受信専用機器をリモートコントロールで立ち上げ、携帯端末で視聴中の放送番組のチャネルあるいは周波数をまた指定しなければならないのは面倒である。また逆に、受信専用機器で視聴していた放送を携帯端末で受信したいときも同様である。
【０００５】
本発明はかかる課題に鑑み、放送受信機器を切り替えるときでも、手間をかけないで同じ放送を継続して視聴できる携帯端末を提供することを目的とする。
【課題を解決するための手段】
【０００６】
上記課題を解決するために本発明の携帯端末は、放送を受信する機能と、外部の放送受信機器の遠隔操作を行なう機能とを有する携帯端末であって、放送を受信して再生する放送受信再生手段と、最新の選局情報を記憶している記憶手段と、前記放送受信再生手段で放送を受信しているとき、選局する放送選局手段と、前記記憶手段に記憶された最新の選局情報を、選局する毎に更新する更新手段と外部の放送受信機器の起動を指示する起動指示手段と、起動を指示する場合、前記放送受信再生手段により放送を受信しているとき、最新の選局情報を併せて送信する選局指示手段とを備えることとしている。
【発明の効果】
【０００７】
上記構成により、携帯端末は、放送を受信中に外部の放送受信機器を遠隔操作で起動するだけで、選局の指示をしなくてもその放送受信機器は携帯端末と同じ選局により放送受信を開始するので、携帯端末と同じ放送を楽しむことが出来る。
また、前記選局指示手段にて指示された前記放送受信機器から前記放送受信機器の選局情報である外部機器選局情報を受信する受信手段と、受信された外部機器選局情報と最新の選局情報とが一致するか否か判定し、一致すると判定されたとき、前記放送受信再生手段に放送の受信を終了させる制御手段とを更に備えることとしている。
【０００８】
これにより携帯端末は、放送を受信中に外部の放送受信機器を遠隔操作で起動し、携帯端末と同じ選局の放送を受信開始したことが確認されると、それまで視聴していた携帯端末での放送受信が終了されるので、携帯端末から放送受信機器への放送受信媒体の切替えが手間をかけないでできる。
また、前記起動指示手段にて起動を指示する場合、前記放送受信再生手段にて放送を受信していないとき、前記放送受信機器での選局を指定する指定選局情報を受け付ける選局受付手段を更に備え、前記選局指示手段は、更に、受け付けた指定選局情報を送信し、前記更新手段は、更に、前記記憶手段に記憶された最新の選局情報を前記指定選局情報に更新し、前記選局指示手段にて指示された前記放送受信機器から前記放送受信機器の選局情報である外部機器選局情報を受信する受信手段と、前記外部機器選局情報と最新の選局情報とが一致するか否か判定し、一致しないと判定したとき、一致すると判定するまで前記選局指示手段に対して前記指定選局情報を再送させる制御手段とを更に備えることとしている。
【０００９】
これにより、携帯端末で放送を受信していないとき、外部の放送受信機器の起動を指示するとき、一回だけ選局情報を指示すると、放送受信機器による選局が失敗しても、選局情報を再送するので、選局が失敗する度に選局情報を指示する手間が省略できる。
また、前記指定選局指示手段により指定選局情報を送信後、前記放送受信再生手段にて放送を受信するとき、前記放送選局手段は、更に、前記記憶手段に記憶された最新の選局情報に基づく選局を行うこととしている。
【００１０】
これにより、外部の放送受信機器に指示した選局と同じ放送が選局の手間をかけずに受信出来るので、外部の放送受信機器で視聴していた放送を、引き続き携帯端末で楽しむことが出来る。
【発明を実施するための最良の形態】
【００１１】
以下、本発明に係る携帯端末である携帯電話機の一実施の形態について図面を用いて説明する。
図１は、本実施の形態の携帯端末である携帯電話機１００のブロック構成と、外部の放送受信機器２００を示す。携帯電話機１００は、アンテナ１０１、通信部１１０、音声処理部１２０、マイク１２１、スピーカ１２２、情報記憶部１３０、操作部１５０、表示部１６０、放送受信部１７０、遠隔送受信部１８０、制御部１９０から構成される。
【００１２】
図２は、本実施の形態の携帯端末としての折り畳み式携帯電話機の開いた状態を示す正面図である。図２の各符合は、図１において対応する構成部があればその符号と同じものが付されている。
アンテナ１０１は、不図示の放送局および通信基地局からの電波を受け取り、無線部１０２に伝達する。また逆に、無線部１０２からの変調信号を受け取り、通信基地局に電磁放射する。
【００１３】
無線部１０２は、アンテナ１０１からの変調信号を受け取り、通信の信号は通信部１１０に、放送の信号は放送受信部１７０に伝達する。また逆に、通信部１１０からの変調信号を受け取り、アンテナ１０１に伝達する。
通信部１１０は、無線部１０２を通じて、通話、受信メール、Web情報等の変調信号を受け取り、増幅、復調し、通話音声は音声処理部に伝達する。また、着信あるいは受信のの表示、メールの読み出し時の表示、Webの内容表示等は表示部１６０に対して行う。
【００１４】
音声処理部１２０から伝達された当該電話機の話者の音声、あるいは操作部１５０を通じて作成された送信メール等を、変調し無線部１０２を介して送信する。
音声処理部１２０は、マイク１２１から受け取った当携帯電話機の話者の音声を通信部１１０に伝達する。また、通信部１１０から受け取った通話相手の音声信号をスピーカ１２２に出力する。
【００１５】
情報記憶部１３０は、RAM（Random Access Memory）およびROM（Read Only Memory）で実現され、放送が選局されたときの最新の情報である最新選局情報を記憶している。
図３には、最新選局情報の例を示す。最新選局情報３０１は、一つだけの選局情報である。テレビかラジオかの放送種類と、チャネルあるいは周波数とから成る。選局情報は、制御部１９０によって登録、参照、削除される。
【００１６】
図３は、情報記憶部１３０に記憶されている最新選局情報の例を示す。
操作部１５０は、遠隔操作、放送の受信および選局、メールの送受信、Webへのアクセス等のためにユーザにより操作され、操作内容を制御部１９０あるいは通信部１１０に伝達する。
操作部１５０は、放送メニュボタン１５１、起動ボタン１５２、５接点ボタン１５３、数字ボタン１５５等のボタンからなる。放送メニュボタン１５１、起動ボタン１５２、あるいは放送受信中の数字ボタンの押下は、制御部１９０に伝達し、通信に関するボタン、例えばオンフックボタン（不図示）の押下は、通信部１１０に伝達する。
【００１７】
表示部１６０は、例えば液晶パネルで実現され、メニュの表示、テレビあるいはFM文字放送等での文字の表示、テレビ放送受信中の画面表示、メールあるいはWebの表示などに使用される。
放送受信部１７０は、制御部１９０からの指示により、ラジオまたはテレビの放送の受信（再生を含む）を開始または終了する。また、放送受信部１７０は、放送受信中に制御部１９０から指示された選局を行う。
【００１８】
放送受信部１７０は、制御部１９０からラジオまたはテレビのいずれかの放送種類と、周波数またはチャネル番号（例えばVHF、UHF、SHFの各割当チャネル番号）とで示される選局情報を受け取り、その選局情報に従い選局して受信する。
遠隔送受信部１８０は、制御部１９０による制御の下で、外部の放送受信機器に対する制御信号の送受信を行なう。遠隔送受信部１８０は、例えば赤外線の発光素子と受光素子で実現され、外部の放送受信機器と赤外線により送受信を行なう。
【００１９】
遠隔送受信部１８０は、制御部１９０の指示により、外部の放送受信機器２００に対し起動（電源の設定）、選局の指示信号を送信する。また、外部の放送受信機器２００から選局の情報を受信し、それを制御部１９０に通知する。ここで、指示信号で指示される外部の放送受信機器２００は、制御部１９０からの指示の内容で特定されるようにしてもよいが、ここでは指示内容で特定することはせず、遠隔送受信部１８０から到達できる放送受信機器とする。
【００２０】
制御部１９０は、表示部１６０、放送受信部１７０および遠隔送受信部１８０の制御を行なう。
制御部１９０は、放送メニュボタン１５１の押下が操作部１５０から伝達されると、放送メニュを表示部１６０に表示する制御を行なう。
図４は、制御部１９０が表示する放送メニュの例である。
【００２１】
放送メニュ４０１のメニュ項目は３つあり、その選択は、先ず項目番号の数字ボタンを押下し、次に５接点ボタン１５３の中央ボタンを押下することにより行なう。
放送メニュ４０１のメニュ項目のうち、項目１の遠隔操作は、外部の放送受信機器２００に対する遠隔操作を行うときに選択される。この指定がされると、制御部１９０は、携帯端末を、遠隔操作の指示を操作部１５０を通じて受け付ける遠隔操作モードに設定する。
【００２２】
遠隔操作モードのとき起動ボタン１５２が押下されると、外部の放送受信機器２００の起動、つまり電源オンの設定が行われる。なお、放送メニュ４０１で再度、遠隔操作ボタンが押下されると制御部１９０は、遠隔操作モードを解除する。
放送メニュ４０１の項目２のテレビモードが選択されると、制御部１９０は携帯端末をテレビ放送を受信するテレビモードに設定し、放送の受信を開始する。テレビモードの下でチャネル番号を指定するため、数字ボタン１５５に続いて５接点ボタン１５３の中央ボタンがユーザにより押下されると、数字ボタンのチャネル番号の選局を行うように、放送受信部１７０に指示するとともに、情報記憶部１３０の最新選局情報３０１を、その選局内容に更新する。
【００２３】
同様に、項目３のラジオモードが選択されると、制御部１９０は携帯端末をラジオ放送を受信するラジオモードに設定し、FM放送を含むラジオ放送の受信を開始する。ラジオモードの下で、チャネル番号を指定するため、数字ボタン１５５に続いて５接点ボタン１５３の中央ボタンを押下されるか、あるいは周波数入力のため数字ボタン１５５に続いて、MHｚあるいはKHzの単位を示すMあるいはKの文字ボタン（不図示）、そして５接点ボタン１５３の中央ボタンが押下されると、そのチャネルまたは周波数の選局を行なうように放送受信部１７０に指示するとともに、情報記憶部１３０の最新選局情報３０１を、その選局内容で更新する。
【００２４】
なお、テレビモードあるいはラジオモードの設定を解除、つまりテレビ放送あるいはラジオ放送の受信終了は、放送メニュ４０１において、それらのモードを再び選択することにより行なわれる。
制御部１９０は、放送メニュ４０１において項目１の遠隔操作が選択され、続いて起動ボタン１５２が押下されると、携帯端末が放送受信中であれば、情報記憶部１３０の最新選局情報３０１を読み出し、遠隔送受信部１８０に、外部の放送受信機器２００に対して電源の設定（起動）と最新選局情報３０１に基づく選局とを指示する情報を送信するように制御する。
【００２５】
また、放送受信中でなければ、選局情報である放送種類とチャネルまたは周波数とを、表示部１６０を通じてユーザに問い合わせ、操作部１５０を通じて得る。そして、放送受信中の場合と同様に、遠隔送受信部１８０に対して、電源の設定とユーザ指定の選局情報である指定選局情報とに基づく選局とを指示する情報を送信するように制御するとともに、最新選局情報３０１を指定選局情報に更新する。
【００２６】
電源設定と選局の指示に対する応答として、外部の放送受信機器２００から制御部１９０は遠隔送受信部１８０を通じて受け取る。放送受信機器２００からの選局情報は外部機器選局情報と呼び、応答したときの放送受信機器２００の選局状態を示している。
制御部１９０は、この外部機器選局情報と最新選局情報３０１とを照合し、一致すれば、放送受信部１７０に対して放送受信を終了するように指示する。一致しなければ、放送受信機器２００での選局が正しくないので、リトライを次のように行なう。
【００２７】
制御部１９０は、放送受信機器２００に前回送信した選局情報と同じ選局情報に基づく選局を行うようにという指示情報を再度、送信するように遠隔送受信部１８０に制御する。
そして、送信した選局情報と遠隔送受信部１８０を通じて受け取った放送受信機器２００の外部機器選局情報とが一致するかチェックし、一致した場合、現在放送受信中であれば放送受信部１７０に放送受信を終了するように指示し、遠隔操作モードも解除する。また、一致しなかった場合、再び同じ選局指示を送信する。以上のリトライを、選局情報が一致しない限り、所定時間間隔で所定回数、例えば２秒間隔で、５回繰り返す。リトライが失敗したときは、制御部１９０はその旨をユーザに通知するために表示部１６０にエラー表示させる。
【００２８】
図６は、本実施の形態での携帯端末による遠隔操作の動作を示すフローチャートである。図６を用いて、上記動作について説明する。
先ず、ユーザの操作を受け付ける（Ｓ１０）。
制御部１９０は、操作部１５０から伝達されたユーザの操作が、放送メニュ４０１の項目１の遠隔操作の選択であるかどうかをチェックする（S１５）。
【００２９】
そうでなければ、携帯端末への指示であり、それが放送メニュボタン１５１の押下の場合（S２０）、放送メニュを表示する。また、放送メニュの放送メニュ４０１の項目２のテレビ又は項目３のラジオの放送受信の選択の場合（S２３）、制御部１９０は、放送受信部１７０に対して、項目２の選択の場合テレビ放送を、また項目３の場合ラジオ放送を受信開始するように指示する。その際、情報記憶部１３０に記憶されている最新選局情報３０１が、選択された放送種類と同じ場合、最新選局情報３０１の選局を行なうように併せて指示する（S２４）。
【００３０】
また、ユーザによる操作がチャネルあるいは周波数の指定の場合、携帯端末で放送受信中なら、制御部１９０は放送受信部１７０に対してユーザ指定の選局を行うように指示する（S２８）とともに、その選局の情報で情報記憶部１３０の最新選局情報３０１を更新する。
また、ステップS１５で、ユーザの操作が放送メニュ４０１の項目１遠隔操作の選択である場合、制御部１９０は次の操作を受け付ける（S３０）。ユーザが携帯端末を例えばある外部の放送受信機器に向けて起動ボタン１５２を押下したとき、制御部１９０は当該放送受信機器の電源オンの設定指示とみなし（S４０）、更に携帯端末が放送受信中かどうかをチェックする（S５０）。
【００３１】
制御部１９０は、携帯端末が放送受信中であれば、制御部１９０は情報記憶部１３０の最新選局情報３０１を読み出す（S７０）。また、携帯端末が放送受信中でなければ、ユーザによる選局情報の指定を受け付け（S６０）、最新選局情報３０１をその選局情報に更新する（S６５）。
次に、制御部１９０は、電源設定の指示と、選局の指示としての最新選局情報３０１またはユーザ指定の選局情報とを、制御部１９０は遠隔送受信部１８０に伝達する。遠隔送受信部１８０は、当該放送受信機器に対して、伝達された電源設定と最新選局情報３０１の選局とを指示する情報を送信する（S８０）。
【００３２】
次に、当該放送受信機器からの応答として、当該放送受信機器の選局の状態を示す選局情報が送信されたとき（S９０）、遠隔送受信部１８０はその選局情報を受け取り、制御部１９０に伝達する。なお、応答がなければ、送信失敗の旨を表示部１６０に表示する（S１００）し、S１０に移行する。
制御部１９０は、当該放送受信機器に送信した選局情報と、当該放送受信機器から受信した外部機器選局情報とが一致するか照合チェックし（S１１０）、一致しなければ当該放送受信機器の選局が指示通りに行なわれていないので、リトライ（選局情報の再送信）の処理を次のように行なう。
【００３３】
リトライが所定の回数（例えば５回）未満なら（S１３０）、当該放送受信機器に対して制御部１９０は、遠隔送受信部１８０を通じて選局を指示する情報を再び送信する（S１４０）。そして、当該放送指示した選局情報と外部の放送受信機器からの応答である外部機器選局情報とをチェックし、一致しなければ、一致する迄または所定のリトライ回数迄のいずれかになる迄、このリトライ処理を繰り返す。リトライ回数が所定の５回に達したときは、送信エラーを表示して（S１００）、S１０に移行する。
【００３４】
また、S１１０の照合チェックで一致すれば、制御部１９０は、当該放送受信機器が正常に電源設定と選局とを行なったと判断する。そして、放送受信中であれば（S１２０）、制御部１９０は放送受信部１７０に放送受信の終了を行なうように指示し、S１０に移行する。
なお、本発明を上記の実施の形態に基づいて説明してきたが、本発明は、上記の実施の形態に限定されないのはもちろんである。以下のような場合も本発明に含まれる。
【００３５】
本発明は、実施の形態では携帯電話機として説明したが、携帯電話機に限定されないのは勿論であり、他の携帯端末、例えばPDA（Personam Data Assistant）にも適用できる。
実施の形態では、外部の放送受信機器との交信には赤外線を使用した。赤外線を使用した代表的規格にはIrDA（Infrared Data Association）があり、この規格を使用しても良い。
【００３６】
また、遠隔操作の対象となる放送受信機器は、放送種類とチャネル等からなる選局情報
で指定された放送が受信できる機器である必要があり、本実施の形態では、起動と選局指示に関しては、赤外線で送信されたこの指示を受信した機器として、特に指定はしなかった。これを、放送受信機器、例えばテレビあるいはステレオなどを、携帯端末の情報記憶部に識別記号で登録しておき、遠隔操作の際に放送種類が合致する放送受信機器の識別記号を指定して、起動指示等するようにしてもよい。
【００３７】
また、IrDA以外の他の通信規格、例えばBlue Tooth規格により遠隔制御するようにしてもよい。
本発明の方法を、コンピュータシステムを用いて実現するためのコンピュータプログラムであるとしてもよいし、前記プログラムを表すデジタル信号であるとしてもよい。
また、本発明は、前記プログラム又は前記デジタル信号を記録したコンピュータ読取り可能な記録媒体、例えば半導体メモリ等であるとしてもよい。
【００３８】
また、本発明は、電気通信回線、無線又は有線通信回線、若しくはインターネットに代表されるネットワーク等を経由して伝送される前記コンピュータプログラム又は前記デジタル信号であるとしてもよい。
【産業上の利用可能性】
【００３９】
本発明に係る携帯端末は家庭用放送受信機器のリモートコントロールで活用される。
【図面の簡単な説明】
【００４０】
【図１】本発明に係る携帯端末の一実施の形態のブロック図である。
【図２】上記実施の形態の携帯電話機の正面の概観を示す図である。
【図３】上記実施の形態の最新選局情報の例を示す図である。
【図４】上記実施の形態の放送メニュの例を示す図である。
【図５】上記実施の形態の携帯端末による遠隔操作の環境の例を示す図である。
【図６】上記実施の形態の遠隔制御の動作を示すフローチャートである。
【符号の説明】
【００４１】
１０１  アンテナ
１０２  無線部
１１０  通信部
１２０  音声処理部
１２１  マイク（送話部）
１２２  スピーカ（受話部）
１３０  情報記憶部
１５０  操作部
１５１  放送メニュボタン
１５２  起動ボタン
１５３  ５接点ボタン
１５５  数字ボタン
１６０  表示部
１７０  放送受信部
１８０  遠隔送受信部
１９０  制御部
２００  外部の放送受信機器
２０１  テレビ
２０２  ラジオ
【図１】
2005203893.tif 000003
【図２】
2005203893.tif 000004
【図３】
2005203893.tif 000005
【図４】
2005203893.tif 000006
【図５】
2005203893.tif 000007
【図６】
2005203893.tif 000008